(57)【要約】      （修正有）【課題】紙詰まり等を防止してプリンターによるスムーズな印字が可能であり、薬の収納容量を拡張することができる底マチ付きプリンター用薬袋を提供する。【解決手段】プリンターにて印字可能な薬袋であって、底接着面２と横接着面３とを備えた三方袋１にて薬袋を構成する。底接着面２の近傍に底マチ形成線の輪郭線４Ｂを形成する。開口部８に向かって湾曲した形状に底マチ形成線の中央線４Ａを形成する。底マチ形成線に沿って表面と裏面とが膨らむように底部を折り込み、底マチ形成線によって三方袋１に底マチ５を設ける。【選択図】図４
0003214220.tif 000002
【実用新案登録請求の範囲】
【請求項１】
プリンターにて印字可能に設けられ患者に提供する薬剤を収納する薬袋において、紙袋の表裏面となる２枚の紙片の底を貼り合わせた底接着面と左右の側面を貼り合わせた横接着面とを備えた三方袋にて構成され、
表裏面の底側に開口部に向かって湾曲した形状の底マチ形成線を形成し、
該底マチ形成線に沿って表面と裏面とが膨らむように底部を折り込むことで三方袋に底マチを設けるように構成したことを特徴とする底マチ付きプリンター用薬袋。
【請求項２】
前記底マチ形成線は、前記底接着面の長手方向に平行に沿って設けられ前記底マチの中心位置に配される中心線と、該中心線の長手両端部と前記横接着面との一方の交点側から他方の交点側に至り開口部に向けて湾曲した形状に設けられ前記底マチの輪郭を成す輪郭線とで構成する請求項１記載の底マチ付きプリンター用薬袋。
【請求項３】
前記中心線の長手端部と前記横接着面との各交点から前記横接着面に沿った補助形成線を形成した請求項２記載の底マチ付きプリンター用薬袋。
【請求項４】
前記三方袋において、開口部を帯状に接着した開口接着面を形成すると共に、この開口接着面に沿った帯状開口部を表面又は裏面の一方に形成した請求項１記載の底マチ付きプリンター用薬袋。
【考案の詳細な説明】
【技術分野】
【０００１】
本考案は、薬袋に患者名や薬に関する情報をプリンターで自由に印字することができ、しかも、十分な収納量を備えた底マチ付きプリンター用薬袋に関する。
【背景技術】
【０００２】
薬局で使用されている薬袋として、例えばガゼット袋等の紙袋が使用されている。このガゼット袋は底面や側面等に重なり部分が形成されるので、袋表面に大きな凹凸が形成される。そのため、この薬袋に直接プリンターで印字しようとすると、凹凸部分で文字が変形したり、紙詰まりが発生したりするなどプリンターに多くの負荷がかかる不都合があった。
【０００３】
一方、表面に凹凸が形成されない紙袋として三方袋が知られている。この三方袋を薬袋に使用すると紙詰まりの発生を防止してスムーズな印字が可能になる。ところが、この三方袋はマチ部のない扁平な紙袋であるから収納容量は制限されてしまい、多くの薬剤を収納することができないことになる。
【０００４】
また従来では、特許文献１のように、袋を形成する前のシートに印字し、その後、シートを折りたたみ接着して薬袋を形成する薬袋用シートが提案されている。
【０００５】
この薬袋用シートによると、薬袋の裏面に加熱性の熱活性化粘着剤層を設けることで、必要な情報をプリンターで印字した後、加熱接着して袋体を形成するように構成したものである。
【先行技術文献】
【特許文献】
【０００６】
【特許文献１】特許第４９５４５５７号
【考案の概要】
【考案が解決しようとする課題】
【０００７】
ところが、特許文献１のように袋を形成する前のシートに印字する薬袋用シートでは、患者に薬を提供するたびに加熱して薬袋を形成する作業が必要になることから、薬局の作業が極めて煩雑になる不都合があった。
【０００８】
そこで本考案は、上述の課題を解消すべく案出されたもので、紙詰まり等を防止ししてプリンターによるスムーズな印字が可能になり、しかも薬の収納容量を拡張することができる底マチ付きプリンター用薬袋の提供を目的とするものである。
【課題を解決するための手段】
【０００９】
上述の目的を達成すべく本考案における第１の手段は、プリンターにて印字可能に設けられ患者に提供する薬剤を収納する薬袋において、紙袋の表裏面となる２枚の紙片の底を貼り合わせた底接着面２と左右の側面を貼り合わせた横接着面３とを備えた三方袋１にて構成され、表裏面の底側に開口部に向かって湾曲した形状の底マチ形成線４を形成し、該底マチ形成線４に沿って表面と裏面とが膨らむように底部を折り込むことで三方袋１に底マチ５を設けるように構成したことにある。
【００１０】
第２の手段において、前記底マチ形成線４は、前記底接着面２の長手方向に平行に沿って設けられ前記底マチ５の中心位置に配される中心線４Ａと、該中心線４Ａの長手両端部と前記横接着面３との一方の交点側から他方の交点側に至り開口部に向けて湾曲した形状に設けられ前記底マチ５の輪郭を成す輪郭線４Ｂとで構成するものである。
【００１１】
第３の手段は、前記中心線４Ａの長手端部と前記横接着面３との各交点から前記横接着面３に沿った補助形成線６を形成する。
【００１２】
第４の手段は、前記三方袋１において、開口部を帯状に接着した開口接着面７を形成すると共に、この開口接着面７に沿った帯状開口部８を表面又は裏面の一方に形成したものである。
【考案の効果】
【００１３】
本考案の請求項１によると、紙袋の表裏面になる２枚の紙片の底を貼り合わせた底接着面２と左右の側面を貼り合わせた横接着面３とを備えた三方袋１にて構成されているので、表面にガゼット袋のような凹凸は全く形成されないシート状の薬袋になるので、プリンター適正に優れた薬袋となる。この結果、プリンターによるスムーズな印字が可能になり、従来の印字用の薬袋と比べて紙詰まり等の発生率が激減する。しかも、プリンターの印字規格に適応したサイズの薬袋を安価に提供することも可能になる。
【００１４】
更に、表裏面の底側に開口部に向かって湾曲した形状の底マチ形成線４を形成し、該底マチ形成線４に沿って表面と裏面とを夫々外側に向けるように底部を折り込むことで三方袋１に底マチ５を設けるように構成したことにより、三方袋１の収納容量を拡張することができる。
【００１５】
請求項２のごとく、前記底マチ形成線４は、前記底接着面２の長手方向に平行に沿って設けられ前記底マチ５の中心位置に配される中心線４Ａと、該中心線４Ａの長手両端部と前記横接着面３との一方の交点側から他方の交点側に至り開口部に向けて湾曲した形状に設けられ前記底マチ５の輪郭を成す輪郭線４Ｂとで構成することで、三方袋１の底接着面２に沿って底部中央に中心線４Ａを配し、この中心線４Ａから表裏の輪郭線４Ｂに沿って折りたたむことで、簡単に底マチ５を形成することができる。
【００１６】
請求項３のごとく、中心線４Ａの長手端部と前記横接着面３との各交点から前記横接着面３に沿った補助形成線６を形成することで、底マチ形成線４によって底マチ５を形成する作業を更に容易にすることが可能になる。
【００１７】
請求項４のごとく、三方袋１の開口部を帯状に接着した開口接着面７を形成すると共に、この開口接着面７に沿った帯状開口部８を表面又は裏面の一方に形成した三方袋１により、底マチ５を形成した三方袋１の開口部の強度を高め、薬の投入を容易にすることができる。
【００１８】
このように本考案によると、プリンターによるスムーズな印字が可能になり、しかも三方袋１の収納容量を拡張することができるなどといった当初の目的を達成した。
【図面の簡単な説明】
【００１９】
【図１】本考案の表面を示す正面図である。
【図２】本考案の裏面を示す背面図である。
【図３】底マチを形成する工程を示す斜視図である。
【図４】本考案の一実施例を示す斜視図である。
【図５】底マチを示す底面図である。
【図６】図５に示す矢視VI-VI線断面図である。
【考案を実施するための形態】
【００２０】
以下、本考案の実施例を説明する。本考案は、主に薬局で使用されている薬袋であり、患者に薬を提供する際に、患者の氏名や薬の名称等をプリンターで印字する印字用の薬袋として使用される。
【００２１】
本考案薬袋は、三方袋１にて構成される。すなわち、薬袋の表裏面になる２枚の紙片の底を貼り合わせた底接着面２と左右の側面を貼り合わせた横接着面３とを備えた紙袋で薬袋を構成する。患者の氏名や薬の名称等は、三方袋１の表面や裏面を選択して任意の位置にプリンターで印字するものである（図１、図２参照）。
【００２２】
図示の三方袋１は、開口部を帯状に接着した開口接着面７を形成すると共に、この開口接着面７に沿った帯状開口部８を表面に形成している（図１参照）。この帯状開口部８は裏面に形成することも可能である。このような開口接着面７により、三方袋１の開口部の強度を高め、薬の投入を容易にしたものである。
【００２３】
更に、この三方袋１の表裏面の底側に、底接着面２に沿った底マチ形成線４を夫々形成している（図１、図２参照）。そして、この底マチ形成線４に沿って表面と裏面とが膨らむように底部を折り込むと（図３参照）、三方袋１の底部に底マチ５が形成されるものである（図４参照）。
【００２４】
図示の底マチ形成線４は、中心線４Ａと輪郭線４Ｂとで構成している（図１、図２参照）。すなわち、中心線４Ａは、底接着面２の長手方向に平行に沿った折り線である。この中心線４Ａに沿って底接着面２を表裏面のいずれか一方に向けて折りたたむと（図６参照）、中心線４Ａが底マチ５の中心位置になる（図４、図５参照）。
【００２５】
一方、輪郭線４Ｂは、この中心線４Ａの長手両端部と横接着面３との一方の交点側から他方の交点側に至り開口部に向けて湾曲した形状を成す折り線である（図１、図２参照）。この輪郭線４Ｂは、底マチ５の輪郭、すなわち三方袋１の膨らんだ表面と裏面との底部に底マチ５の輪郭を形成するものである（図４、図５参照）。
【００２６】
したがって、この底マチ形成線４により形成される底マチ５は、正面略アーチ形状を成し、三方袋１の中央部に近くなるほど幅が広く形成されるものになる（図４参照）。また、底マチ５に薬を収納すると、薬の重みで底マチ５が机上面等に直接接触する。この結果、三方袋１に薬を収納したまま机上に立たせることが可能になる。図示の底マチ形成線４は、ミシン目で形成した折り線を使用している（図３参照）。この底マチ形成線４は、この他、溝状に形成するなど他の折り線に変更することも可能である。
【００２７】
更に図示例では、中心線４Ａの長手両端部と横接着面３との各交点側から各横接着面３に沿って補助形成線６を形成している（図１、図２参照）。この補助形成線６により底マチ形成線４を折りたたんで底マチ５を形成する作業を更に容易にすることができる（図３参照）。
【００２８】
本考案によると、薬収納前のシート状になっている三方袋１に、患者名や薬に関する情報等をプリンターで印字する。その後、底マチ形成線４に沿って折りたたみ、底マチ５を形成して三方袋１の容量を拡張してから薬を収納し患者に提供する。
【００２９】
尚、本考案は、図示例に限定されるものではなく、本考案の底マチ形成線４や底マチ５の形状の変更、あるいは三方袋１の材質の変更等は、本考案の要旨を変更しない範囲において自由に変更できるものである。
【符号の説明】
【００３０】
１  三方袋
２  底接着面
３  横接着面
４  底マチ形成線
４Ａ  中央線
４Ｂ  輪郭線
５  底マチ
６  補助形成線
７  開口接着面
８  帯状開口部
【図１】
0003214220.tif 000003
【図２】
0003214220.tif 000004
【図３】
0003214220.tif 000005
【図４】
0003214220.tif 000006
【図５】
0003214220.tif 000007
【図６】
0003214220.tif 000008